(57)【要約】  【課題】  電柱への取り付けや取り外し作業が容易になり、戸外でも長期間にわたって使用することができ、ＩＣタグの通信距離が長い電柱用ＩＣタグ装置を提供する。  【解決手段】  電柱用ＩＣタグベルト１は、電柱２に巻きつけられる金属ベルト３と、金属ベルト３に取り付けられるＩＣタグ４とを備え、金属ベルト３には、細長い形状のスリット孔１５が設けられており、ＩＣタグ４は、スリット孔１５を横切るように取り付けられ、金属ベルト３をアンテナとして用いて無線通信を行う。【選択図】  図２
2007208901.tif 000002
【特許請求の範囲】
【請求項１】
電柱に巻きつけられる金属ベルトと、前記金属ベルトに取り付けられるＩＣタグとを備え、
前記金属ベルトには、細長い形状のスリット孔が設けられており、
前記ＩＣタグは、前記スリット孔を横切るように取り付けられ、前記金属ベルトをアンテナとして用いて無線通信を行うことを特徴とする電柱用ＩＣタグベルト。
【請求項２】
一つの前記金属ベルトには、複数のＩＣタグが取り付けられており、
前記複数のＩＣタグは、前記一つの金属ベルトをアンテナとして共用することを特徴とする請求項１に記載の電柱用ＩＣタグベルト。
【請求項３】
前記金属ベルトは、前記スリット孔を有するプレート部と、前記プレート部が着脱可能に取り付けられるベルト部とを備え、
前記ＩＣタグは、前記プレート部に取り付けられていることを特徴とする請求項１または請求項２に記載の電柱用ＩＣタグベルト。
【請求項４】
前記ＩＣタグには、耐候性を有する保護カバーが取り付けられていることを特徴とする請求項１ないし請求項３のいずれかに記載の電柱用ＩＣタグベルト。
【発明の詳細な説明】
【技術分野】
【０００１】
本発明は、電柱用ＩＣタグに関し、特に電柱への取り付けや取り外しの作業性を向上する技術に関するものである。
【背景技術】
【０００２】
一般に、電柱の管理を行うときには、作業者が電柱の設置場所を巡回して、電柱に関する情報（電柱のＩＤ情報、電柱の設置位置情報など）を収集する。そして、収集した電柱の情報と管理データベースとを照合することによって、作業者は電柱の管理を行う。
【０００３】
従来、電柱管理用の装置として、電柱に関する情報（電柱のＩＤ情報、電柱の設置位置情報など）が記憶されたＩＣタグを樹脂製のケースに収納した電柱用ＩＣタグ装置が知られている（例えば、特許文献１参照）。このような電柱用ＩＣタグ装置では、例えば、接着剤を用いて電柱にケースを接着することによって、電柱にＩＣタグを取り付ける。そして、作業者は、ＩＣタグのリーダ装置を使用することによって、ＩＣタグに記憶された電柱の情報を無線通信で収集する。これにより、電柱の管理、特に電柱の情報収集の作業が容易になる。
【特許文献１】特開２００４−１１２０４６号公報（第２−６頁、第１図）
【発明の開示】
【発明が解決しようとする課題】
【０００４】
しかしながら、従来の電柱用ＩＣタグ装置では、電柱にケースを取り付けるときに、接着剤が充分に硬化するのを待つ必要がある。そのため、電柱用ＩＣタグ装置を電柱へ取り付ける作業に手間がかかる。また、電柱に取り付けられたＩＣタグを交換するときには、電柱に接着剤で接着されたケースを電柱から取り外すことが容易でない。そのため、電柱用ＩＣタグ装置を電柱から取り外す作業に手間がかかる。
また、従来の電柱用ＩＣタグ装置は、接着剤を用いて電柱に接着されているので、長期間、戸外で雨風や日光にさらされると、接着剤が劣化して電柱用ＩＣタグ装置が電柱から剥がれ落ちるおそれがある。
また、電柱用ＩＣタグ装置のケースとＩＣタグとして、小型のケースと小型のＩＣタグを用いる場合には、ＩＣタグのアンテナの長さを充分に確保することができず、ＩＣタグとリーダ装置との通信距離が短い。そのため、作業者は、ＩＣタグと通信可能な距離まで電柱に近寄る必要があり、電柱の管理、特に電柱の情報収集の作業効率が低い。
【０００５】
本発明は、上記従来の問題を解決するためになされたもので、電柱への取り付けや取り外しの作業性が向上し、戸外でも長期間にわたって使用することができ、通信距離の長い電柱用ＩＣタグ装置を提供することを目的とする。
【課題を解決するための手段】
【０００６】
本発明は、電柱用ＩＣタグ装置として電柱用ＩＣタグベルトを提供する。この電柱用ＩＣタグベルトは、電柱に巻きつけられる金属ベルトと、前記金属ベルトに取り付けられるＩＣタグとを備え、前記金属ベルトには、細長い形状のスリット孔が設けられており、前記ＩＣタグは、前記スリット孔を横切るように取り付けられ、前記金属ベルトをアンテナとして用いて無線通信を行うことを特徴とする。
【０００７】
この構成により、金属ベルトを電柱に巻きつけることによって、電柱用ＩＣタグベルトを電柱に容易に取り付けることができる。これにより、従来の接着剤で電柱に取り付ける場合に比べて、電柱用ＩＣタグベルトを電柱に取り付ける作業や、電柱用ＩＣタグベルトを電柱から取り外す作業が容易になる。
また、金属ベルトは従来の接着剤に比べて高い耐候性を有している。すなわち、長期間、雨風や日光にさらされても、従来の接着剤に比べて金属ベルトの劣化の程度が低く、電柱用ＩＣタグベルトが電柱から外れるおそれが軽減される。したがって、長期間にわたって電柱用ＩＣタグベルトを戸外で使用することができる。
また、電柱用ＩＣタグベルトのＩＣタグは、金属ベルトのスリット孔を横切るように取り付けられ、金属ベルトをアンテナとして用いて無線通信を行うことができる。したがって、電柱用ＩＣタグベルトのＩＣタグとして、小型のＩＣタグを用いた場合であっても、金属ベルトの長さの分だけアンテナの長さを充分に確保することができ、その分だけＩＣタグの通信距離が長い。そのため、作業者は、遠くからでもＩＣタグと通信可能であり、電柱にあまり近寄る必要がないので、電柱の管理、特に電柱の情報収集の作業効率が向上する。
【０００８】
また、本発明の電柱用ＩＣタグベルトでは、一つの前記金属ベルトには、複数のＩＣタグが取り付けられており、前記複数のＩＣタグは、前記一つの金属ベルトをアンテナとして共用する。
【０００９】
この構成により、複数のＩＣタグに記憶された情報を、一つの金属ベルトをアンテナとして共用して無線通信することができる。
例えば、複数のＩＣタグに同じ情報を記憶させることにより、長期間の使用で一のＩＣタグに不具合が発生したときに、他のＩＣタグをスペアとして用いることができる。
【００１０】
また、本発明の電柱用ＩＣタグベルトでは、前記金属ベルトは、前記スリット孔を有するプレート部と、前記プレート部が着脱可能に取り付けられるベルト部とを備え、前記ＩＣタグは、前記プレート部に取り付けられている。
【００１１】
この構成により、電柱に取り付けた電柱用ＩＣタグベルトのＩＣタグを交換するときには、古いＩＣタグを備えたプレート部をベルト部から取り外して回収し、新しいＩＣタグ備えた金属プレートをベルト部に取り付ける。これにより、ＩＣタグの交換作業が容易になる。
【００１２】
また、本発明の電柱用ＩＣタグベルトでは、前記ＩＣタグには、耐候性を有する保護カバーが取り付けられている。
【００１３】
この構成により、電柱用ＩＣタグベルトのＩＣタグが、耐候性を有する保護カバーによって覆われ、長い年月の間の雨風や日光に直接さらされることが防止される。これにより、戸外に設置される電柱用ＩＣタグベルトのＩＣタグが保護され、ＩＣタグの不具合の発生率を低減することができる。
【発明の効果】
【００１４】
上記のように、本発明は、金属ベルトにスリット孔を設け、金属ベルトのスリット孔にＩＣタグを取り付けたことにより、電柱への取り付けや取り外し作業が容易になり、戸外でも長期間にわたって使用することができ、ＩＣタグの通信距離を長くできる。
【発明を実施するための最良の形態】
【００１５】
以下、本発明の実施の形態の電柱用ＩＣタグベルトについて、図１〜図４を用いて説明する。本実施の形態では、道路に立てられた電柱の管理等に用いられる電柱用ＩＣタグベルトを例示する。
【００１６】
本発明の実施の形態の電柱用ＩＣタグベルトの概略図を図１に示す。図２は、電柱用ＩＣタグベルトの斜視図であり、図３は、電柱用ＩＣタグベルトの分解斜視図である。また、図４は、電柱用ＩＣタグベルトのＩＣタグの部分の拡大図である。
【００１７】
図１に示すように、電柱用ＩＣタグベルト１は、道路に立てられた電柱２に取り付けられている。図２および図３に示すように、電柱用ＩＣタグベルト１は、電柱２に巻きつけられる金属ベルト３と、金属ベルト３に取り付けられるＩＣタグ４と、ＩＣタグ４を覆う保護カバー５を備えている。
【００１８】
図３に示すように、金属ベルト３は、Ｃ字形の金属製のベルト部６と、長方形の金属製のプレート部７を備えている。ベルト部６の二つの端部には屈曲部８がそれぞれ形成されており、各屈曲部８にはボルト挿通孔９が設けられている。そして、ベルト部６を電柱２に巻きつけた状態で、ベルト部６の端部のボルト挿通孔９に固定ボルト１０が挿通され、固定ボルト１０に固定ナット１１が螺着される（図２参照）。本実施の形態では、金属ベルト３のベルト部６とプレート部７は、例えば、耐候性に優れたアルミニウムやステンレス等の金属製である。
【００１９】
また、図３に示すように、金属ベルト３のプレート部７の上部の隅角部には、二つのねじ孔１２が設けられている。また、金属ベルト３のベルト部６には、プレート部７のねじ孔１２に対応する位置に、二つのねじ孔１３が設けられている。そして、ベルト部６とプレート部７のねじ孔１２，１３にねじ１４を螺着することによって、ベルト部６にプレート部７が着脱可能に取り付け固定されている。
【００２０】
また、金属ベルト３のプレート部７の中央には、細長い形状のスリット孔１５（スロット）が設けられている。そして、プレート部７のスリット孔１５には、ＩＣタグ４が取り付けられている。図４は、そのＩＣタグ４の部分の拡大図である。
【００２１】
図４に示すように、ＩＣタグ４は、裏面に接着層を有するプラスチックテープ１６と、プラスチックテープ１６の表面に形成される一対の金属膜１７（例えば銅膜）と、一対のストラップ１８を有するＩＣチップ１９を備えている。一対のストラップ１８はＩＣチップ１９の一対の電極（図示せず）から延びている。
【００２２】
ＩＣチップ１９の一対のストラップ１８は、一対の金属膜１７に半田付けなどによってそれぞれ接続されている。そして、一対の金属膜１７がスリット孔１５を挟んだ位置になるように、金属ベルト３のプレート部７にプラスチックテープ１６が貼り付けられる（図４参照）。このようにして、ＩＣタグ４は、金属ベルト３のプレート部７のスリット孔１５を横切るように取り付けられている。
【００２３】
ＩＣタグ４のＩＣチップ１９には、電柱２に関する情報が記憶されている。本実施の形態のＩＣチップ１９には、例えば、電柱２のＩＤ情報（電柱２を識別するためのＩＤ情報）、電柱２の設置位置情報（電柱２が設置される住所の情報）、電柱２への広告許可情報（電柱２への掲示が許可された広告の情報）、架線ケーブル情報（電柱２に架線されるケーブルの情報）などの情報が記憶されている。
【００２４】
また、本実施の形態のＩＣタグ４は、パッシブＩＣタグである。すなわち、本実施の形態のＩＣタグ４は、リーダ装置２０から発信された電波を受けると、電磁誘導によって発生した電流をエネルギー源として、ＩＣチップ１９を動かし、ＩＣチップ１９に記憶された情報（電柱２に関する情報）をリーダ装置２０へ送り返す。ここで、上記のような無線通信に使用する電波としては、例えば、ＵＨＦ帯（３００ＭＨｚ〜３ＧＨｚの周波数帯）の電波が用いられる。
【００２５】
また、本実施の形態では、ＩＣタグ４は、金属ベルト３のプレート部７のスリット孔１５を横切るように取り付けられている。そして、金属ベルト３のプレート部７のスリット孔１５の長さは、無線通信に使用する電波の波長λの１／２の長さに設定されており、したがって、金属ベルト３のプレート部７は、いわゆるスロットアンテナとして用いられている。
【００２６】
図２および図３に示すように、ＩＣタグ４は、保護カバー５で覆われている。保護カバー５は、金属ベルト３のプレート部７にスライド自在に取り付けられている。本実施の形態では、保護カバー５の原料として、例えば、耐候性を有するゴム材料等が用いられている。
【００２７】
以上のように構成された電柱用ＩＣタグベルト１を使用するときの動作を以下説明する。本実施の形態の電柱用ＩＣタグベルト１を電柱２に取り付けるときには、電柱用ＩＣタグベルト１の金属ベルト３を電柱２に巻きつける。そして、ベルト部６の端部のボルト挿通孔９に固定ボルト１０を挿通して、固定ボルト１０に固定ナット１１を螺着して締め付ける。
【００２８】
このようにして電柱２に取り付けた電柱用ＩＣタグベルト１を用いて電柱２の管理を行う。電柱２の管理を行う作業者は、図１に示すように、電柱用ＩＣタグベルト１のＩＣタグ４と通信可能なリーダ装置２０を携帯して、電柱２に取り付けられたＩＣタグ４から電柱２に関する情報を無線通信で収集する。このとき、ＩＣタグ４は、金属ベルト３をアンテナとして用いて無線通信を行う。本実施の形態では、金属ベルト３のプレート部７は、いわゆるスロットアンテナとして用いられる。
【００２９】
電柱２に取り付けた電柱用ＩＣタグベルト１のＩＣタグ４を交換するときには、金属ベルト３のプレート部７のねじ１４を緩めて、プレート部７をベルト部６から取り外す。そして、新しいＩＣタグ４が取り付けられているプレート部７をベルト部６にねじ止めして固定する。このようにして、古いＩＣタグ４と新しいＩＣタグ４をプレート部７とともに交換する。
【００３０】
上記のような本実施の形態の電柱用ＩＣタグベルト１によれば、金属ベルト３にスリット孔１５を設け、金属ベルト３のスリット孔１５にＩＣタグ４を取り付けることにより、電柱２への取り付けや取り外し作業が容易になり、戸外でも長期間にわたって使用することができ、ＩＣタグ４の通信距離を長くすることができる。
【００３１】
本実施の形態では、金属ベルト３のベルト部６を電柱２に巻きつけて、固定ボルト１０に固定ナット１１を螺着して締め付けることによって、電柱用ＩＣタグベルト１を電柱２に容易に取り付けることができる。すなわち、従来の接着剤で電柱２に取り付ける場合に比べて、電柱用ＩＣタグベルト１を電柱２に取り付ける作業や、電柱用ＩＣタグベルト１を電柱２から取り外す作業が容易になる。
【００３２】
また、金属ベルト３は従来の接着剤に比べて高い耐候性を有している。すなわち、長期間、雨風や日光にさらされても、従来の接着剤に比べて金属ベルト３の劣化の程度が低く、電柱用ＩＣタグベルト１が電柱２から外れるおそれが軽減される。したがって、長期間にわたって電柱用ＩＣタグベルト１を戸外で使用することができる。
【００３３】
また、電柱用ＩＣタグベルト１のＩＣタグ４は、金属ベルト３のプレート部７のスリット孔１５を横切るように取り付けられているので、金属ベルト３をスロットアンテナとして用いて無線通信を行うことができる。したがって、電柱用ＩＣタグベルト１のＩＣタグ４として、小型のＩＣタグ４を用いた場合であっても、金属ベルト３の長さの分だけアンテナの長さを充分に確保することができ、その分だけＩＣタグ４の通信距離が長い。そのため、作業者は、小型のＩＣタグ４であっても、比較的遠距離からＩＣタグ４と無線通信を行うことができ、電柱２の情報を簡単に読み取ることができる。
この場合、電柱用ＩＣタグベルト１のＩＣタグ４は、パッシブＩＣタグであるため、ＩＣタグ用の電源が不要であり、アクティブＩＣタグに比べてＩＣタグ４のコストを低く抑えることができる。
【００３４】
また、本実施の形態では、電柱２に取り付けた電柱用ＩＣタグベルト１のＩＣタグ４を交換するときには、古いＩＣタグ４を備えたプレート部７をベルト部６から取り外して回収し、新しいＩＣタグ４を備えたプレート部７をベルト部６に取り付ける。これにより、ＩＣタグ４の交換作業が容易になる。
【００３５】
また、本実施の形態では、電柱用ＩＣタグベルト１のＩＣタグ４が、耐候性を有する保護カバー５によって覆われ、長い年月の間の雨風や日光に直接さらされることが防止される。これにより、戸外に設置される電柱用ＩＣタグベルト１のＩＣタグ４が保護され、ＩＣタグ４の不具合の発生率を低減することができる。
【００３６】
以上、本発明の実施の形態を例示により説明したが、本発明の範囲はこれらに限定されるものではなく、請求項に記載された範囲内において目的に応じて変更・変形することが可能である。
【００３７】
例えば、図５には、電柱用ＩＣタグベルト１の他の実施の形態が示される。
図５に示すように、電柱用ＩＣタグベルト１の金属ベルト３のプレート部７には、二つのＩＣタグ４，４が取り付けられてもよい。これにより、二つのＩＣタグ４，４は、一つの金属ベルト３をスロットアンテナとして共用して、それぞれ別々に無線通信することができる。
【００３８】
この場合、例えば、二つのＩＣタグ４，４に同じ情報（電柱２に関する情報）を記憶させることにより、長期間の使用で一つのＩＣタグ４に不具合が発生したときに、他のＩＣタグ４をスペアとして用いることができる。
また、一方のＩＣタグ４と他方のＩＣタグ４にそれぞれ異なる情報を記憶させてもよい。その場合、一つの電柱用ＩＣタグベルト１で様々な情報を取り扱うことができる。
【００３９】
また、以上の説明では、一つのＩＣタグ４に一つのＩＣチップ１９が取り付けられている例について説明したが、本発明の範囲はこれらに限定されるものではなく、図６に示すように、一つのＩＣタグ４に二つのＩＣチップ１９，１９が取り付けられていてもよい。
【００４０】
また、以上の説明では、二つのＩＣタグ４が金属ベルト３に取り付けられている例について説明したが、本発明の範囲はこれらに限定されるものではなく、三つ以上のＩＣタグ４が金属ベルト３に取り付けられていても良い。
【００４１】
また、以上の説明では、ＩＣチップ１９のストラップ１８がプラスチックテープ１６表面の金属膜１７（例えば銅膜）に接続され、プラスチックテープ１６が金属ベルト３のプレート部７に貼り付けられた例について説明したが、本発明の範囲はこれらに限定されるものではない。ＩＣチップ１９が金属板（例えば銅板）に半田付けなどで接続され、金属板が金属ベルト３のプレート部７にスポット溶接などで接続されていてもよい。また、ＩＣチップ１９のストラップ１８が、直接、金属ベルト３のプレート部７に半田付けなどで接続されていてもよい。
【００４２】
また、以上の説明では、金属ベルト３のプレート部７がベルト部６に着脱可能に取り付けられている場合について例示したが、本発明の範囲はこれらに限定されるものではない。
例えば、図７に示すように、電柱用ＩＣタグベルト１の金属ベルト３は、プレート部とベルト部が一体（着脱不可能）のものであってもよい。
【産業上の利用可能性】
【００４３】
以上のように、本発明にかかる電柱用ＩＣタグベルトは、電柱への取り付けや取り外し作業が容易になり、戸外でも長期間にわたって使用することができ、ＩＣタグの通信距離が長いという効果を有し、道路に立てられた電柱の管理に用いられる電柱用ＩＣタグ装置等として有用である。
【図面の簡単な説明】
【００４４】
【図１】本発明の実施の形態における電柱用ＩＣタグベルトの概略図
【図２】本発明の実施の形態における電柱用ＩＣタグベルトの斜視図
【図３】本発明の実施の形態における電柱用ＩＣタグベルトの分解斜視図
【図４】本発明の実施の形態における電柱用ＩＣタグベルトのＩＣタグの部分の拡大図
【図５】他の実施の形態における電柱用ＩＣタグベルトのＩＣタグの部分の拡大図
【図６】さらに他の実施の形態における電柱用ＩＣタグベルトのＩＣタグの部分の拡大図
【図７】さらに他の実施の形態における電柱用ＩＣタグベルトの斜視図
【符号の説明】
【００４５】
１  電柱用ＩＣタグベルト
２  電柱
３  金属ベルト
４  ＩＣタグ
５  保護カバー
６  ベルト部
７  プレート部
１５  スリット孔
【図１】
2007208901.tif 000003
【図２】
2007208901.tif 000004
【図３】
2007208901.tif 000005
【図４】
2007208901.tif 000006
【図５】
2007208901.tif 000007
【図６】
2007208901.tif 000008
【図７】
2007208901.tif 000009